(57)【要約】  【課題】  特に高反発弾性を与えると共に、打撃の振動を吸収することができる鉄製ゴルフクラブヘッドを提供する。  【解決手段】  内部にチャンバが形成され、前面に該チャンバと連通する嵌合凹部が形成されるクラブヘッド本体と、前面に、該クラブヘッド本体の前面と平坦にすると共に、該クラブヘッド本体のチャンバを密封するフェイス面が形成され、該クラブヘッド本体の嵌合凹部に嵌め込まれるフェイスプレートとを有する鉄製ゴルフクラブヘッドを提供する。【選択図】  図３
2015023946.tif 000002
【特許請求の範囲】
【請求項１】
内部にチャンバが形成され、前面に該チャンバと連通する嵌合凹部が形成されるクラブヘッド本体と、
前面に前記クラブヘッド本体の前面と平坦にすると共に、該クラブヘッド本体のチャンバを密封するフェイス面が形成され、該クラブヘッド本体の嵌合凹部に嵌め込まれるフェイスプレートと、を有することを特徴とする鉄製ゴルフクラブヘッド。
【請求項２】
前記クラブヘッド本体は、ステンレス鋼または炭素鋼からなり、
前記フェイスプレートは、高強度鋼またはマルエージング鋼またはばね鋼からなることを特徴とする請求項１に記載の鉄製ゴルフクラブヘッド。
【請求項３】
前記クラブヘッド本体のチャンバの前後方向の深さが０．５ｍｍ乃至２．５ｍｍであり、
前記フェイスプレートの厚さが１．５ｍｍ乃至２．８ｍｍであることを特徴とする請求項１または２に記載の鉄製ゴルフクラブヘッド。
【発明の詳細な説明】
【技術分野】
【０００１】
本発明はゴルフ道具に関し、特に鉄製ゴルフクラブヘッドに関するものである。
【背景技術】
【０００２】
既存の鉄製クラブヘッドは主に、クラブヘッド本体と、該クラブヘッド本体の前面に設置されたフェイスプレートとを備え、クラブヘッド本体の底部に、適度に重量を加えるバランスウェイト部が設置され、前記クラブヘッド本体の一側に斜め上方に延出するクラブ接続部が形成され、クラブ接続部によって該鉄製クラブヘッドをシャフトに接着して、鉄製ゴルフクラブを構成する。使用者が該鉄製ゴルフクラブを手に持ってスイングするとき、フェイスプレートでボールを打撃することができる。
前記鉄製クラブヘッドが打撃する時、クラブヘッドに振動が生じて不安定になり、この振動という問題を解決しながら、ボールの制御に安定性を高めるために、鉄製クラブヘッドのクラブヘッド本体の裏面に、エアバッグを有する衝撃吸収部材を取り付け、且つ該衝撃吸収部材をフェイスプレートの裏面に貼り付ける。
【先行技術文献】
【特許文献】
【０００３】
【特許文献１】台湾実用新案の第Ｍ３８３４３０号
【発明の概要】
【発明が解決しようとする課題】
【０００４】
しかしながら、既存の鉄製クラブヘッドは、フェイスプレートの裏面にエアバッグを備える衝撃吸収部材が取り付けられ、該衝撃吸収部材のエアバッグによって打撃する時の衝撃を吸収することができるが、該衝撃吸収部材がフェイスプレートの裏面に貼り付けられるので、鉄製クラブヘッドの打撃するところの厚さが増加すると共に、衝撃吸収部材がフェイスプレート上の力を分散してしまった。したがって、鉄製クラブヘッドで打撃する時、フェイスプレートの変形量が減少する、反発弾性を低下するという問題があった。
【課題を解決するための手段】
【０００５】
本発明に係る鉄製ゴルフクラブヘッドは、内部にチャンバが形成され、前面に該チャンバと連通する嵌合凹部が形成されるクラブヘッド本体と、
前面に前記クラブヘッド本体の前面と平坦にすると共に、該クラブヘッド本体のチャンバを密封するフェイス面が形成され、該クラブヘッド本体の嵌合凹部に嵌め込まれるフェイスプレートとを有するものである。
【０００６】
かかる鉄製ゴルフクラブヘッドにおいて、前記クラブヘッド本体は、ステンレス鋼または炭素鋼からなり、前記フェイスプレートは、高強度鋼またはマルエージング鋼またはばね鋼からなることが好ましい。
【０００７】
かかる鉄製ゴルフクラブヘッドにおいて、前記クラブヘッド本体のチャンバの前後方向の深さが０．５ｍｍ乃至２．５ｍｍであり、前記フェイスプレートの厚さが１．５ｍｍ乃至２．８ｍｍであることが好ましい。
【発明の効果】
【０００８】
上述した構造を有することから、本発明の鉄製クラブヘッドを使用する時、フェイスプレートにボールを打撃する衝撃力を受けて、クラブヘッド本体のチャンバに向けって弾性変形を生じるが、フェイスプレートの弯曲または変形した部分がややチャンバに移動するので、チャンバがその収納空間を提供する。そのため、フェイスプレートは、弾力を充分に貯めて打撃する時の高反発弾性を与えると共に、チャンバにより打撃する時の振動を減少することができる。
【図面の簡単な説明】
【０００９】
【図１】本発明に係る鉄製ゴルフクラブの実施例の斜視図である。
【図２】本発明に係る鉄製ゴルフクラブの実施例の平面図である。
【図３】図２における３−３線の断面図である。
【図４】本発明に係る鉄製ゴルフクラブにおいて、打撃する状態を示す側面断面図である。
【発明を実施するための形態】
【００１０】
以下、添付図面を参照して本発明の適切な実施の形態を詳細に説明する。
【００１１】
図１乃至図３に示すように、本発明の鉄製ゴルフクラブヘッドの実施例は、クラブヘッド本体１０およびフェイスプレート２０を含む。
【００１２】
図３に示すように、前記クラブヘッド本体１０は、ステンレス鋼または炭素鋼材料で鋳造または鍛造により成形されたものであり、該クラブヘッド本体１０の内部にチャンバ１１が形成され、該チャンバ１１の前後方向の深さ（w)は、０．５ｍｍ乃至２．５ｍｍが好ましく、該クラブヘッド本体１０の前面にチャンバ１１と連通する嵌合凹部１２が形成され、該嵌合凹部１２の深さは、フェイスプレート２０が嵌め込まれるように形成され、かつ該嵌合凹部１２の周辺部分は、チャンバ１１の外周より延出される。前記クラブヘッド本体１０の一側に、斜め上方に延出するクラブ接続部１３が形成され、前記クラブヘッド本体１０の底部にバランスウェイト部１４が設けられている。
【００１３】
図３に示すように、前記フェイスプレート２０は、高強度鋼や、マルエージング鋼（Maraging steel）、ばね鋼などの材料からなる高弾性及び鋼質性のプレートであり、前記クラブヘッド本体１０の嵌合凹部１２に嵌め込まれる。また、該フェイスプレート２０の前面がフェイス面であり、該フェイス面がクラブヘッド本体１０の前面と平坦にしてチャンバ１１を密封する。前記フェイスプレート２０の厚さ（ｔ）は、１．５ｍｍ乃至２．８ｍｍが好ましい。前記フェイスプレート２０とクラブヘッド本体１０は、鋼質性の材料からなり、溶接手段で一体に接着され、そして、表面の加工（研磨加工など）を行い、鉄製クラブヘッドを構成する。
【００１４】
図４に示すように、本発明に係る鉄製クラブヘッドは、クラブ接続部１３を介してシャフトと接着されて鉄製ゴルフクラブを構成する。使用する時、使用者が該鉄製ゴルフクラブを持ってスイングする時、フェイスプレート２０がボール３０を打撃すると、フェイスプレート２０に衝撃力を受けてクラブヘッド本体１０のチャンバ１１に向けって弾性変形を生じる。
【００１５】
この時、フェイスプレート２０の弯曲または変形する部分がややチャンバ１１に移動するので、チャンバ１１がその収納空間を提供する。それによれば、フェイスプレート２０は、弾力を充分に貯めて、打撃する時、ボール３０に高反発弾性を与えると共に、クラブヘッド本体１０の密封されたチャンバ１１によって、打撃する時の振動を減少することができる。
【符号の説明】
【００１６】
１０ クラブヘッド本体
１１ チャンバ
１２ 嵌合凹部
１３ クラブ接続部
１４ バランスウェイト部
２０ フェイスプレート
３０ ゴルフボール
【図１】
2015023946.tif 000003
【図２】
2015023946.tif 000004
【図３】
2015023946.tif 000005
【図４】
2015023946.tif 000006